(57)【特許請求の範囲】
【請求項１】
医療用高圧ガス容器の容器弁へ取り付けるヨーク取付け式流量設定器の取付け補助具であって、容器弁に補助具を取り付けた後、流量設定器を容器弁上方より差し込んだ際、弁側の選別ホールと流量設定器側の選別ピンの上下方向の位置を調整するものであり、該流量設定器の形状に係合する台座部分、該台座部分から延びる２本の腕部分を備え、該腕部分の先端に該高圧ガス容器の容器弁に固定する為の爪部分を備えると共に、該爪部分を容器弁に固定した際に、該台座部分の高さが、台座部分に載った流量設定器側のヨーク選別ピン及び酸素ノズルと、容器弁側の選別ホール及び充填口の位置が丁度合う高さを備えることを特徴とするヨーク取付け補助具。
【請求項２】
該腕部分が横方向への弾性を有することを特徴とする請求項１記載のヨーク取付け補助具。
【請求項３】
該腕部分に圧力計株部分に係合する切り欠き部分を備えることを特徴とする請求項１、２記載のヨーク取付け補助具。
【発明の詳細な説明】
【０００１】
【発明の属する技術分野】
本発明は、酸素ボンベから酸素を呼吸器疾患患者に供給するの呼吸用気体供給装置に関する。さらに詳細には、慢性呼吸器疾患患者等が酸素吸入療法を行う際に使用する酸素ボンベの交換時に流量設定器の取付けを容易にすることが出来る取付け補助具に関するものである。
【０００２】
【従来の技術】
肺気腫、慢性気管支炎等の呼吸器系疾患の治療法として最も効果的なものの１つに酸素吸入療法があり、近年この療法のために酸素富化空気供給装置或いは酸素ボンベが使用されるようになってきた。病院や在宅で該吸入療法を行う場合には、酸素富化空気供給装置或いは大容量の固定式酸素ボンベが使用されるが、患者が通院など外出する場合には、携帯型の酸素ボンベが用いられる。
【０００３】
これは呼吸器系疾患患者が持ち運びするボンベであるために、小型軽量である必要があり、充填できる酸素容量を増やす為に、高圧酸素ガスが充填されている。また、患者が使用し得る時間を更に延長する為に、内部に呼吸センサーと自動開閉弁を内蔵し、患者の吸気時間だけに酸素を供給し、呼気時間は供給を停止するデマンドレギュレーターを使用して酸素を節約する手段が用いられている。
【０００４】
かかる高圧酸素ボンベは流量設定器を介して、医師の患者に対する処方流量に設定した後、患者に連続流として、或いはデマンドレギュレーターを介して呼吸に同調して酸素が供給される。在宅で使用されるこれら酸素ボンベの交換は、当然使用者である患者、或いはその介護者が行うのが常である。酸素ボンベ容器の交換は、空のボンベから流量設定器を取り外した後、充填済みの高圧酸素ボンベにその流量設定器を取付けるという動作で行われる。
【０００５】
一般に高圧ガスの充填容器用弁（容器弁）の充填口は、ネジ式およびヨーク締付け式がある。医療用としてはヨーク締付け式が主に用いられ、容器への充填ガスの種類により、充填口取付け用選別ホールおよびヨーク選別ピンの配列が異なり、ＪＩＳＢ８２４６により定めらている。
【０００６】
【発明が解決しようとする課題】
医療用高圧酸素ボンベの流量設定器にも、ヨーク締付け方式が主として用いられているが、流量設定器をボンベ容器弁上方より差し込んだ際、弁側の選別ホールと流量設定器側の選別ピンの上下方向の自由寸法が大きくなっている。これは多様なるヨークに対応に対応するものである。
しかし高圧酸素ボンベの交換は、高齢化の進む呼吸器疾患患者やその介護者が行うため、かかる自由度があることが逆に高齢者によるボンベ交換作業を困難なものとしている。
本発明は、かかる従来のヨーク取付け式の流量設定器の交換時の課題を解決するものであり、取付け自由度がある高圧ガスボンベの流量設定器の取付けにおいて、高齢者でも容易に流量設定器の位置決めが出来る補助具を提供するものである。
【０００７】
【課題を解決するための手段】
かかる課題に対して、本発明者は鋭意検討した結果、以下の補助具が上記問題点を解消することを見出した。
即ち本発明は、医療用高圧ガス容器へのヨーク取付け式流量設定器の取付け補助具であって、該流量設定器の形状に係合する台座部分、該台座部分から延びる２本の腕部分を備え、該腕部分の先端に該高圧ガス容器の容器弁に固定する為の爪部分を有することを特徴とするヨーク取付け補助具を提供するものである。
また本発明は、かかる腕部分が横方向への弾性を有することを特徴とするものであり、特に該腕部分に圧力計株部分に係合する切り欠き部分を備えることを特徴とするヨーク取付け補助具を提供するものである。
【０００８】
【発明の実施の形態】
本発明のヨーク取付け補助具の好ましい実施態様例を図面を用いて説明する。図１〜５は、本発明のヨーク取付け補助具の実施態様例を示す概略斜視図（図１）、上面図（図２）、側面図（図３、図４）及び正面図（図５）である。本発明の補助具は流量設定器の下端部分が載る流量設定器の位置決め用の台座部分及びその左右端部から延びる２本の補助具固定用のアーム（腕）部分からなり、アーム部分先端には補助具を高圧ガスボンベの容器弁に固定する為の爪部分を備えている。
【０００９】
台座部分の表面（上面）形状は、平面的でも良いが、上下方向のみならず左右方向の位置を規制するためには本案の如く用いる流量設定器の形状に合せて、それに係合するものが流量設定器の位置固定の点から好ましい。またその大きさは流量設定器を固定する容器弁の大きさに依存し、台座部分及びそこから延びるアーム部分、更にはアーム部分先端に設けられる爪部分によって、ヨーク取付け補助具は容器弁に固定される。
【００１０】
アーム部分は、容器弁に補助具の台座部分を固定することが出来るものであればその形状は、容器弁を囲む枠状のもの、取り付け取り外しを容易にする為、その一辺の一部を開放にしたものを用いる事が出来るが、前面を解放とする２本のアーム形状にすることによって、水平方向からの付け外しを容易にすることができる。また、取り外し、取り付けを容易に行うために、アーム部分は繰返しの付け外しに絶え得る様、横方向への弾性を有するものが好ましい。材質は樹脂製のものが通常用いられるが、金属、ゴム等であっても良い。
【００１１】
本発明のヨーク取り付け補助具は、図６〜８に示す減圧弁付き流量設定器酸素通気ノズル周辺図で示すように、台座部分に載った流量設定器側のヨーク選別ピン及び酸素ノズルと、容器弁側の選別ホール及び充填口の位置が丁度合うように高さを調整する。高さ、即ちヨーク取り付け補助具の位置決めは補助具下端位置とボンベ容器肩部分で調整する事も可能であるが、ボンベの種類によって高さに違いがあるため、容器弁に設けられている圧力計株で補助具の位置決めを行うのが好ましい。具体的には、本発明のヨーク取り付け補助具の一方のアーム部分に切り欠きを設けその部分に圧力計株が当たるようにして上下方向の位置決めを行うのが好ましい。
【００１２】
使用方法は簡単で、図９、１０に示すように、流量設定器を取付けようとする容器弁に、所定の方向でヨーク取付け補助具を取付けた後、従来の作業同様に容器弁上方より、流量設定器を容器弁に差し込んだ後、ヨーク締付け具（ハンドル）を閉めこむことで固定が完了する。
【００１３】
また、かかる取付け補助具は付け外し可能である為に、形状の異なるヨークを従来の方法で使用することも可能である。
【００１４】
【発明の効果】
本発明のヨーク取付け補助具を使用することによって、従来の作業で流量設定器をボンベ容器弁上方より差し込んだ後の弁側の選別ホールと流量設定器側の選別ピンの上下方向の自由寸法が大きいが故に困難であった位置合わせ作業を省略することが可能となり、容易に流量設定器を取付けることができる。
【図面の簡単な説明】
【図１】本発明のヨーク取付け補助具の好ましい実施態様例の概略斜視図。
【図２】本発明のヨーク取付け補助具の実施態様例の上面図。
【図３】本発明のヨーク取付け補助具の実施態様例の側面図。
【図４】本発明のヨーク取付け補助具の実施態様例の正面図。
【図５】本発明のヨーク取付け補助具の実施態様例の側面図。
【図６】本発明のヨーク取付け補助具を用いた場合のヨーク締付け容器弁酸素充填口周辺図面。
【図７】本発明のヨーク取付け補助具を用いた場合のヨークを有する減圧弁付流量設定器の上面図。
【図８】本発明のヨーク取付け補助具を用いた場合の減圧弁付流量設定器酸素通気ノズルの周辺図面。
【図９】本発明のヨーク取付け補助具の容器弁への取り付け状態を示す上面図。
【図１０】本発明のヨーク取付け補助具の容器弁への取り付け状態を示す側面図。
【図１】
0004368998.tif 000002
【図２】
0004368998.tif 000003
【図３】
0004368998.tif 000004
【図４】
0004368998.tif 000005
【図５】
0004368998.tif 000006
【図６】
0004368998.tif 000007
【図７】
0004368998.tif 000008
【図８】
0004368998.tif 000009
【図９】
0004368998.tif 000010
【図１０】
0004368998.tif 000011